(57)【要約】  本発明の1つの目的は、気化させる粒子状材料を再装填する効率的な方法を提供することである。この目的は、気化ゾーンを有する蒸着チェンバーの中に材料を供給してその材料を気化させて層を形成する方法によって達成される。改善点として、材料の汚染を防ぐために制御された環境下で材料を受け取るキャビティを規定するカートリッジを用意するステップと、そのキャビティからの材料を受け取り、受け取ったその材料を供給路に沿って気化ゾーンまで移動させるステップと、カートリッジを蒸着チェンバーに取外し可能に固定するステップを含んでいる。
2009512786.tif 000002
【特許請求の範囲】
【請求項１】
気化ゾーンを有する蒸着チェンバーの中に材料を供給してその材料を気化させて層を形成する方法であって、
（a）材料の汚染を防ぐために制御された環境下で材料を受け取るキャビティを規定するカートリッジを用意するステップと；
（b）そのキャビティからの材料を受け取り、受け取ったその材料を供給路に沿って気化ゾーンまで移動させるステップと；
（c）上記カートリッジを上記蒸着チェンバーに取外し可能に固定するステップを含む方法。
【請求項２】
上記カートリッジまたは上記蒸着チェンバーの中で材料を流動化するステップをさらに含む、請求項1に記載の方法。
【請求項３】
上記カートリッジが上記供給路を備える、請求項1に記載の方法。
【請求項４】
上記カートリッジが、上記供給路と、気化エネルギーを供給する加熱素子とを備える、請求項1に記載の方法。
【請求項５】
カートリッジを用意する上記ステップが、真空下でカートリッジを準備する操作を含む、請求項1に記載の方法。
【請求項６】
カートリッジを用意する上記ステップが、圧力下でカートリッジを準備する操作を含む、請求項1に記載の方法。
【請求項７】
上記供給路内の粒子状材料が、第1の材料と第2の材料とを少なくとも含む、請求項1に記載の方法。
【請求項８】
上記カートリッジ内の粒子状材料の量を感知するステップをさらに含む、請求項1に記載の方法。
【請求項９】
材料を流動化する上記ステップが上記カートリッジ内で起こり、そのカートリッジが上記供給路を備える、請求項2に記載の方法。
【請求項１０】
材料を流動化する上記ステップが上記カートリッジ内で起こり、そのカートリッジが、上記供給路と、気化エネルギーを供給する加熱素子とを備える、請求項2に記載の方法。
【請求項１１】
材料を流動化する上記ステップが、ピエゾ電気式アクチュエータまたは振動用スクリューを作動させる操作を含む、請求項2に記載の方法。
【請求項１２】
気化ゾーンを有する蒸着チェンバーの中に材料を供給してその材料を気化させて層を形成するためのカートリッジであって、
（a）材料の汚染を防ぐために制御された環境下で材料を受け取るキャビティを規定するカートリッジと；
（b）そのキャビティから材料を送り出し、送り出されたその材料を供給路に沿って気化ゾーンまで移動させる手段と；
（c）上記カートリッジを上記蒸着チェンバーに取外し可能に固定する手段とを備えるカートリッジ。
【請求項１３】
上記カートリッジの中で材料を流動化する手段をさらに備える、請求項12に記載のカートリッジ。
【請求項１４】
上記カートリッジが上記供給路を備える、請求項12に記載のカートリッジ。
【請求項１５】
上記カートリッジが、上記供給路と、気化エネルギーを供給する加熱素子とを備える、請求項12に記載のカートリッジ。
【請求項１６】
上記キャビティが真空下にある、請求項12に記載のカートリッジ。
【請求項１７】
上記キャビティが圧力下にある、請求項12に記載のカートリッジ。
【請求項１８】
上記供給路内の粒子状材料が、第1の材料と第2の材料とを少なくとも含む、請求項12に記載のカートリッジ。
【請求項１９】
上記カートリッジ内の粒子状材料の量を感知する手段をさらに備える、請求項12に記載のカートリッジ。
【請求項２０】
上記固定手段により、上記カートリッジの再利用、または別のカートリッジの利用が可能になる、請求項12に記載のカートリッジ。
【請求項２１】
材料を流動化する上記手段が、ピエゾ電気式アクチュエータまたは撹拌用オーガーを作動させる手段を備える、請求項13に記載のカートリッジ。
【請求項２２】
上記カートリッジが上記供給路を備える、請求項13に記載のカートリッジ。
【請求項２３】
上記カートリッジが、上記供給路と、気化エネルギーを供給する加熱素子とを備える、請求項13に記載のカートリッジ。
【請求項２４】
蒸着チェンバー内の気化ゾーンで熱を利用して粒子状材料を気化させて層を形成するための装置であって、
（a）材料の汚染を防ぐために制御された環境下で材料を受け取るキャビティを規定するカートリッジと；
（b）そのキャビティから材料を受け取り、受け取ったその材料を供給路に沿って気化ゾーンまで移動させる手段と；
（c）上記カートリッジを上記蒸着チェンバーに取外し可能に固定する手段とを備える装置。
【請求項２５】
上記カートリッジまたは上記蒸着チェンバーの中に材料を流動化する手段をさらに備える、請求項24に記載の装置。
【請求項２６】
上記カートリッジまたは上記蒸着チェンバーが上記供給路を備える、請求項24に記載の装置。
【請求項２７】
上記カートリッジまたは上記蒸着チェンバーが、上記供給路と、気化エネルギーを供給する加熱素子とを備える、請求項24に記載の装置。
【請求項２８】
上記キャビティが真空下にある、請求項24に記載の装置。
【請求項２９】
上記キャビティが圧力下にある、請求項24に記載の装置。
【請求項３０】
上記供給路内の粒子状材料が、第1の材料と第2の材料とを少なくとも含む、請求項24に記載の装置。
【請求項３１】
上記カートリッジ内の粒子状材料の量を感知する手段をさらに備える、請求項24に記載の装置。
【請求項３２】
上記固定手段により、上記カートリッジの再利用、または別のカートリッジの利用が可能になる、請求項24に記載の装置。
【請求項３３】
材料を流動化する上記手段が、ピエゾ電気式アクチュエータまたは撹拌用オーガーを作動させる手段を備える、請求項25に記載の装置。
【請求項３４】
上記カートリッジが上記供給路を備える、請求項25に記載の装置。
【請求項３５】
上記カートリッジが、上記供給路と、気化エネルギーを供給する加熱素子とを備える、請求項25に記載の装置。
【発明の詳細な説明】
【技術分野】
【０００１】
本発明は、粒子状材料の物理的な気相蒸着の分野に関する。
【背景技術】
【０００２】
OLEDデバイスは、基板と、アノードと、有機化合物からなる正孔輸送層と、適切なドーパントを含む有機発光層と、有機電子輸送層と、カソードを備えている。OLEDデバイスが魅力的なのは、駆動電圧が低く、高輝度で、視野角が広く、フル-カラーのフラット発光ディスプレイが可能だからである。Tangらは、この多層OLEDデバイスをアメリカ合衆国特許第4,769,292号と第4,885,211号に記載している。
【０００３】
真空環境中での物理的気相蒸着は、小分子OLEDデバイスで用いられているような有機材料の薄膜を堆積させる主要な方法である。このような方法はよく知られており、例えばBarrのアメリカ合衆国特許第2,447,789号とTanabeらのヨーロッパ特許第0 982 411号に記載されている。OLEDデバイスの製造に用いられる有機材料は、速度に依存した望ましい気化温度またはそれに近い温度に長時間にわたって維持したとき、分解することがしばしばある。感受性のある有機材料をより高温に曝露すると、分子構造が変化し、それに伴って材料の性質が変化する可能性がある。
【０００４】
このような材料の熱感受性という問題を解決するため、ほんの少量の有機材料を蒸発源に供給し、その少量をできるだけ少なく加熱するということが行なわれてきた。このようにすると、材料は、顕著な分解を引き起こす温度曝露閾値に到達する前に消費される。この方法の欠点は、ヒーターの温度に制約があるために利用できる気化速度が非常に小さいことと、蒸発源の中に存在する材料が少量であるために蒸発源の動作時間が非常に短いことである。従来技術では、蒸着チェンバーに通気し、蒸発源を分解清掃し、蒸発源に材料を再装填し、蒸着チェンバーの中を再び真空にし、導入したばかりの有機材料を数時間にわたって脱ガスした後に操作を再開する必要がある。小さな蒸着速度と、蒸発源への頻繁な材料供給に時間のかかることが、OLED製造設備のスループットに関する実質的な制約となっている。
【０００５】
装填する有機材料全体をほぼ同じ温度に加熱することの二次的な結果として、追加の有機材料（例えばドーパント）をホスト材料と混合できなくなる。ただし例外は、ドーパントが気化するときの挙動および蒸気圧が、ホスト材料が気化するときの挙動および蒸気圧と非常に近い場合である。一般に、気化するときの挙動および蒸気圧が両者で非常に近いことはないため、その結果として、従来の装置は、ホスト材料とドーパント材料を同時に堆積させるのに別々の蒸発源を必要とすることがしばしばある。
【０００６】
単一成分の蒸発源を用いることの1つの帰結は、1種類のホストと複数種類のドーパントを含む膜を形成するのに多数の蒸発源が必要とされることである。これらの蒸発源は隣り合わせに配置されるため、同時蒸着条件をほぼ満たそうとすると外側の蒸発源ほど中心に向けて傾けることになる。実際上は、異なる材料を同時に蒸着するのに用いられる直線配列の蒸発源の数は、3つまでに制限されてきた。この制約があるため、OLEDデバイスの構造が実質的に制限されていた。そのため真空蒸着チェンバーに必要なサイズが大きくなり、真空蒸着チェンバーに必要とされるコストが上昇し、システムの信頼性が低下する。
【０００７】
さらに、別々の蒸発源を使用すると、堆積される膜に勾配効果が生じる。すなわち、移動している基板に最も近い蒸発源内の材料がその基板に直接接する最初の膜において過剰になるのに対し、最後の蒸発源内の材料は、最終的な膜の表面において過剰になる。勾配のあるこの同時堆積は、単一の材料が複数ある蒸発源のそれぞれから気化する従来の蒸発源では不可避である。共同ホストを用いるときなどに堆積される膜に勾配があることは、両端部いずれかの蒸発源の寄与が中央の蒸発源からの寄与の数％を超える場合に特に明らかである。図1に、そのような従来の気化装置5の断面図を示してある。この気化装置5は、有機材料を気化させるために個別の3つの蒸発源6、7、8（一般に“加熱ボート”と呼ばれる）を備えている。異なる蒸発源からの材料による蒸気の気柱9は均一であることが好ましいが、実際には端から端へと組成が変化するため、基板15のコーティングが不均一になる。
【０００８】
従来の蒸発源のさらに別の制約は、装填した有機材料が消費されるにつれて蒸気用マニホールドの形状が変化することである。この変化があるため、気化速度を一定に維持するにはヒーターの温度を変化させねばならない。実際、オリフィスから出てくる蒸気の気柱の全体的な形状は、蒸発源の内部における有機材料の厚さおよび分布の関数として変化することが観察されている。特に、材料を十分に装填した蒸発源の中での蒸気流に対するコンダクタンスが十分に小さくてその蒸発源の内部で不均一な気化による圧力勾配が維持されるときにそうなる。この場合、装填された材料が消費されるにつれてコンダクタンスが大きくなるため、圧力分布が、したがって気柱の全体的な形状が、改善される。
【０００９】
こうした困難に対処して蒸着用材料を供給するため、2005年5月20日にLongらによって「気化ゾーンへの有機粉末の供給」という名称で出願されて譲受人に譲渡されたアメリカ合衆国特許出願11/134,654には、気化チェンバーの中に粒子状材料を連続的に供給するための方法と装置が開示されている。この方法では、有機の粉末その他の粒子状材料を、気化チェンバーの外にある供給源からその気化チェンバーの中に供給することができる。この方法による利点の1つは、気化温度よりもはるかに低温で材料の取り扱いと供給ができるため、材料の浪費が少なくなるとともに、単一の供給源から気化させる複数の材料の混合と供給が容易になることである。しかし必要な粒子状材料が連続的に供給されるようにするため、供給機構は、材料の取り扱いが容易で、しかも気化チェンバー内の条件（例えば真空）にほとんど影響を与えないかまったく影響を与えずに直接的に再装填できるようになっている必要がある。さらに、粒子状材料そのものを取り扱うこと、計量すること、気化設備において手作業である容器から別の容器に移すことのいずれも必要せずに材料を再装填できると有利であろう。
【発明の開示】
【発明が解決しようとする課題】
【００１０】
本発明の1つの目的は、気化させる粒子状材料を再装填する効率的な方法を提供することである。
【課題を解決するための手段】
【００１１】
この目的は、気化ゾーンを有する蒸着チェンバーの中に材料を供給してその材料を気化させて層を形成する方法によって達成される。改善点として、材料の汚染を防ぐために制御された環境下で材料を受け取るキャビティを規定するカートリッジを用意するステップと、そのキャビティからの材料を受け取り、受け取ったその材料を供給路に沿って気化ゾーンまで移動させるステップと、カートリッジを蒸着チェンバーに取外し可能に固定するステップを含んでいる。
【発明の効果】
【００１２】
従来のデバイスが動作している間は材料が連続的に加熱されるが、本発明ではそれがなくなり、粒子状材料の一部だけが、短時間、制御された速度で加熱されるというのが1つの利点である。粒子状材料の塊はある温度に維持されるが、その温度は、速度に依存した望ましい気化温度より300℃も低くすることができる。これは、有機材料を気化させるときに特に有利である可能性がある。
【００１３】
本発明のさらに別の利点は、ヒーターの温度を一定にして連続的に粒子状材料を補充しながら安定な気化速度を維持できることである。したがって本発明の装置により、温度に非常に敏感な有機材料でさえ、分解するリスクを実質的に小さくして蒸発源の動作時間を延ばすことができる。
【００１４】
本発明のさらに別の利点は、気化速度と分解温度閾値が異なる複数の材料を同じ蒸発源の中で同時に昇華させられることである。
【００１５】
本発明のさらに別の利点は、圧縮した粒子状材料の計量供給速度または供給圧力を制御することにより、気化速度を制御して直線的にできることである。
【００１６】
本発明のさらに別の利点は、粒子状材料の計量供給速度を制御することにより、気化を迅速に停止させて再開させることと、安定な蒸着速度を素早く達成できることである。その結果、基板のコーティング中ではないときには、蒸着チェンバーの壁面の汚染が最少になり、粒子状材料が節約される。
【００１７】
本発明のさらに別の利点は、蒸発源を任意の方向に向けられることである。これは、従来の装置では不可能なことがしばしばある。
【００１８】
本発明のいくつかの実施態様のさらに別の利点は、従来よりもはるかに少量の粒子状材料が装置の中を運ばれるため、熱と真空を利用して粒子状材料から吸着したガスを除去できることである。
【発明を実施するための最良の形態】
【００１９】
ここで図2を参照すると、有機粒子状材料を気化させて表面上に凝縮させることで膜を形成するための本発明による装置の一実施態様の三次元図が示してある。気化装置10は、供給装置40が取り付けられたマニホールド20を備えている。供給装置40は、第1の容器50と供給路60を少なくとも備えており、第2の容器70も備えることができる。第1の容器50には、ある量の有機粒子状材料（例えば一実施態様では粉末）が供給される。明らかなように、第2の容器70はその有機粒子状材料を収容することができ、その有機粒子状材料を第1の容器50に移すことができる。マニホールド20は1つ以上の開口部30を備えており、気化した粒子状材料がその開口部を通じて出ていくことができ、基板の表面に堆積される。マニホールド20は鉛直方向を向いた基板上に層を形成できるように図示してあるが、この方向に限定されるわけではない。マニホールド20が水平方向を向いていて、水平な基板上に層を形成することもできる。マニホールド20は、譲受人に譲渡されたLongらによるアメリカ合衆国特許出願第10/784,585号に詳細に記載されている。供給装置40は、マニホールド20の底部、すなわち開口部30とは反対の側に取り付けた状態が図示してあるが、マニホールド20の側部に取り付けることもできる。マニホールド20への供給装置40の取り付け方は明らかであろう。
【００２０】
ここで図3を参照すると、本発明に従って粒子状材料を供給するための上記気化装置の一部に関する一実施態様の断面図が示してある。この気化装置によって粒子状材料が効果的に流動化されてスクリュー構造に移される。第1の容器50には粒子状材料160（細かく分割された粉末の形態であり、均一なサイズであることが望ましい）が収容されており、その粒子状材料は供給路60のスクリュー構造80に供給される。スクリュー構造80は第1の容器50の内部を貫通しており、上記のマニホールド（図を見やすくするため図示していない）の中へと通じている。スクリュー構造80の少なくとも一部がモータ90によって回転され、有機粒子状材料が供給路60に沿って制御された体積速度または圧力で気化ゾーンに移される。その有機粒子状材料は気化ゾーンで気化した後、基板に供給されて層を形成する。供給路60、したがって供給路60内を流れる有機粒子状材料は、その有機粒子状材料の望ましい気化温度よりも低い温度に維持することができる。有機粒子状材料160がスクリュー構造80へ移動しやすくするため、振動装置（例えばピエゾ電気構造130または電気機械式バイブレータ）を用いて有機粒子状材料160を振動させることによって流動化するとよい。このように流動化した材料は、重力を利用した供給によってスクリュー構造80へとより容易に移動する。
【００２１】
追加の有機粒子状材料100を収容するための補助の第2の容器70があると、利点がいくつか追加される。大量の有機粒子状材料100を装置に装填できるため、より長時間にわたって装置を連続的に動作させることが可能になる。第1の容器50内の有機粒子状材料160の量を検知することにより（例えば柱状の有機粒子状材料160の高さを測定することにより）、第2の容器70から第1の容器50へと移される有機粒子状材料の量を選択的に計量し、第1の容器50に実質的に一定体積（例えば±5cm3）の有機粒子状材料160を供給することができる。実際には、10cm3の粒子状材料が第1の容器50に装填される。この明細書に記載したいくつかの実施態様では、有機粒子状材料160を信頼性よく供給することに関するゆとりが容器内の材料の高さの広い範囲にわたって大きいため、ほぼ完全に有機粒子状材料160を排出させて供給に失敗することがないようにできる。しかし多成分の混合の一様性は、第1の容器50内における粉末の高さが最適にされていてその高さが±10％以内に維持される場合に促進されると考えられる。このようにすると有機粒子状材料160を供給路60に供給する速度の変化が最少になる。また、第2の容器70は、第1の容器50の動作に影響を与えることなく再充填できる構成にすることができる。そのためより長時間にわたって装置を連続的に動作させることが可能になる。有機粒子状材料100は、例えばスクリーン110と120によって第2の容器70の中に保持される。スクリーンのサイズは、粒子状材料が自由に流れることがないように選択する。スクリーン110と120は、計量された量の有機粒子状材料100を第2の容器70から第1の容器50へと移動させる機構にすることもできる。スクリーン110と120は、ある量の有機粒子状材料100がスクリーンのメッシュを通過するようにできる振動装置（図示せず）によって接触させることができる。そのような振動装置としては、スクリーンを振動させる装置や、スクリーン110と120を選択的に振動させらるようにするためにスクリーンの直上または直下に位置する移動可能なアームが挙げられる。市販の小麦粉シフターは、この用途で用いるのによく適した1つの装置である。このシフターでは、3つのスクリーンが用いられていて、各スクリーンの上面が、シフターの中心から放射状に延びる回転可能なアームによって接触状態にされている。アームはV字形の断面を持っているため、粉末化した有機粒子状材料100は、アームが回転するにつれ、アームとスクリーンに挟まれた先細の空間へと強制的に送られ、制御された体積の粉末化した有機粒子状材料100がスクリーンを通過する。第1の容器50内の有機粒子状材料160の高さ（または堆積速度と動作時間から得られる積分信号）に基づく検知システムがスクリーン110と120を振動させる装置を作動させ、第1の容器50内の粉末化した有機粒子状材料160の体積をほぼ一定に維持することができる。振動装置（例えばピエゾ電気構造140）は、第1の容器50への供給路に有機粒子状材料100が蓄積しないようにする。ピエゾ電気構造をいろいろな振動数で振動させ（例えばサイレン効果）、振動の節に有機粒子状材料100が蓄積しないようにすることができる。
【００２２】
供給装置40が適切に動作するためには、有機粒子状材料160の供給速度が一定に維持されることが重要である。有機粒子状材料160は一般に粉末化された形態で供給される。自由に流れる有機粒子状材料160を供給するための重要な1つの方法は、架橋状態にならないようにすることである。架橋は、粉末などの粒子状材料の特徴的な挙動であり、粉末化した粒子が自己凝集して開口部の周囲に負荷をかける構造ができることによって粉末が開口部を通過するのを妨げるときに起こる可能性がある。架橋効果は、例えば開口部のサイズが小さすぎて粒子状材料が流れようとするのが妨げられる場合に起こる可能性がある。架橋を引き起こす可能性のある因子として、開口部のサイズに対する粒子のサイズ、湿度、粒子間の静電引力、真空のレベル、摩擦などがある。この問題を解決するには、例えば図3に示したように、第1の容器50と供給路60のインターフェイスにおける開口部230のサイズを、粉末化した材料の架橋特性に打ち勝つのに十分なサイズにする必要がある。サイズに関するこの条件を決めるにあたり、有機粒子状材料160は自由に流れる状態で供給路60に供給されねばならないため、そのための最悪の条件を考慮して経験的に決定するのが最良である。第1の容器50内にほぼ一定体積の有機粒子状材料160を維持すると、有機粒子状材料160をスクリュー構造80に一定速度で供給するのが容易になる。開口部230を適切なサイズにし、第1の容器50内に十分な体積の有機粒子状材料160があるようにすることで、粉末化した多くのタイプの有機粒子状材料160に関して一定の供給速度を維持し、いかなる新たな形態の振動も必要とすることなく流動化した流れを提供することができる。
【００２３】
開口部230が狭くなければならない場合には、一定の供給速度は、スクリューの供給部分の近くにある有機粒子状材料160が振動装置によって流動状態に維持されるときに保証される。これは、スクリューの直上にある有機粒子状材料160をゆっくりと振動させることによって、または例えばピエゾ電気構造130によって有機粒子状材料160に振動を誘導することによって実現できる。その結果、粉末化した有機粒子状材料160が液体のような挙動をするようになるが、ガスのような挙動をするようになるほどエネルギーは大きくない。
【００２４】
ここで図4を参照すると、本発明に従って有機粒子状材料160を供給して気化させるための上記の装置の一部の一実施態様に関するさらに詳細な断面図が示してある。スクリュー構造80が有機粒子状材料160を供給路60に沿ってマニホールド20および加熱素子170へと移動させる。加熱素子170は、例えば加熱されたスクリーンにすることができ、Longらによって以前に詳細に説明されている。マニホールド20は、供給路60のうちで加熱素子170に隣接する領域として定義される気化ゾーンを備えている。粉末化した有機粒子状材料160の薄い断面が、接触と熱伝導により、速度に依存した望ましい温度（加熱素子170の温度）に加熱されて気化し、基板の表面に供給されて層を形成する。スクリュー構造80とその回転速度が、有機粒子状材料160が加熱素子170に供給される速度を規定する。気化速度は制御されて直線的になるため、有機粒子状材料160が蒸気の状態でマニホールドから出ていく速度も直線的になる。したがって有機粒子状材料160をスクリュー構造と気化ゾーンに供給する速度が、気化した成分を望む表面に堆積させる速度を規定する。
【００２５】
さらに、基部180を備えることができる。基部180は熱散逸構造であり、加熱素子170からの熱の多くが供給路60に沿って移動するのを妨げることで、有機粒子状材料160の塊を、加熱素子170に隣接した気化ゾーンで感じるよりもはるかに冷たい状態に維持する。基部180のための熱散逸手段は、譲受人に譲渡されたLongらによる上記のアメリカ合衆国特許出願第10/784,585号に記載されている。このようにして生み出される急な熱勾配により、気化している材料に隣接している部分以外のすべての部分が高温から保護される。気化した有機材料の蒸気は加熱素子170を素早く通過し、加熱されたマニホールド20に入ることができる。望ましい気化温度になっている有機粒子状材料160の滞在時間は非常に短いため、熱分解が非常に少なくなる。有機粒子状材料160が高温、すなわち速度に依存した気化温度になっている時間は、従来の装置および方法よりも数桁短い（従来の数時間から数日に対して数秒）。そのため有機粒子状材料160を従来よりも高温に加熱することができる。したがって本発明の装置と方法により、有機粒子状材料160の成分を大量に分解させることなく、実質的により大きな気化速度を実現することができる。
【００２６】
有機粒子状材料160は、単一の成分でもよく、気化可能な2種類以上の異なった有機材料成分（例えば気化温度がそれぞれ異なる複数の有機材料成分）を含んでいてもよい。気化温度はさまざまな手段で測定することができる。例えば図5は、OLEDデバイスで一般に使用される2種類の有機材料に関して蒸気圧と温度の関係を示したグラフである。気化速度は蒸気圧に比例するため、望ましい気化速度に関し、図5を利用してその望む気化速度に対応する必要な加熱温度を決めることができる。有機粒子状材料160が2種類以上の有機成分を含んでいる場合には、加熱素子170の温度は、気化が供給速度によって制限されるように選択する。すなわち加熱素子の温度での蒸気圧が実質的にマニホールド内のその成分の望ましい部分圧よりも大きくなるように選択する。したがって有機材料成分のそれぞれが同時に気化する。
【００２７】
気化が進むにつれてマニホールド20内の圧力が上昇し、気流がマニホールド20から図2に示した一連の開口部30を通じて出ていく。有機粒子状材料160のほんの一部（気化ゾーンに存在している部分）しか速度に依存した気化温度に加熱されず、材料の大部分は気化温度よりもはるかに低い温度に維持されているため、加熱素子170の位置にある加熱中断手段（例えばスクリュー構造80の運動を停止させる手段）によって気化を中断することが可能である。こうすることにより、基板表面のコーティング中ではないときに有機粒子状材料160を節約し、関連するあらゆる装置（例えば蒸着チェンバーの壁面）の汚染を最小にすることが可能になる。これについて以下に説明する。
【００２８】
加熱素子170は、粉末や圧縮された材料が自由に通過することを阻止する細かいメッシュ・スクリーンにできるため、マニホールドは任意の方向を向けて使用することができる。例えば図2のマニホールド20を下に向け、その下に位置する基板のコーティングを行なうことができる。これは、従来の加熱ボートでは見られない1つの利点である。
【００２９】
ここで図6Aを参照すると、本発明において有用なスクリュー構造80の一実施態様の断面図が示してある。スクリュー構造80は、モータ90によって回転するスクリュー85を備えている。このスクリューの螺旋のネジ山の間の距離とネジ山の高さを選択する際には、粉末化した有機粒子状材料160が詰まることも、螺旋とともに回転することもなく、水平方向を向いたスクリュー収容チューブの底部に留まり、スクリュー85とスクリュー収容チューブの相対運動によって直線的に運ばれるように決める。例えばスクリュー85のピッチが2.5mmでネジ山の高さが0.8mmであるスクリューが、粉末化した有機粒子状材料160を水平方向に移動させるとともに一体化するのに効果的であることがわかった。
【００３０】
本発明の発明者は、一定の流速を維持するのにスクリュー構造のサイズが影響を与えることを見いだした。開口部230のサイズに関して上に指摘した架橋効果と同様、スクリュー構造の適切なサイズとスクリューの適切なピッチは、有機粒子状材料160の具体的な組成に関する最悪の状態を考慮して経験的に決定するのが最も好ましい。
【００３１】
本発明の発明者は、スクリューのネジ山の角度を最適化すると有機粒子状材料160が供給路60に沿って自由に流れやすくできることも見いだした。スクリューのネジ山の最適な角度は粉末化した有機粒子状材料160の個々の成分によっていくらか異なる可能性があるが、スクリューのネジ山の角度がスクリュー構造80の回転軸に対して約4°〜約15°の範囲だと、通常用いられる有機粒子状材料160に関して最適な流動状態になることがわかった。
【００３２】
さまざまな材料のスクリューのシャフトやさまざまに表面処理したスクリューのシャフトによってスクリューの操作が容易になり、供給速度を大きくできることがわかった。ステンレス鋼は許容できる性能だが、表面処理（例えば電気研磨）またはコーティング（例えば窒化チタン・コーティング）によってさらなる利点が得られる。
【００３３】
スクリューを一定速度で連続的に回転させることによって許容できるレベルの性能が得られるが、パルス化によってスクリューのシャフトを繰り返して増分方式で回転させることにより、さらなる利点が得られる。パルス作用によってスクリューと粉末化した有機粒子状材料160の間の実質的な摩擦係数が小さくなるため、その粒子状材料がスクリューと一体化して回転する傾向が少なくなる。したがってスクリュー85の粉末供給効率が向上する。パルス式の挙動は、例えばある時間の間に供給速度を変化させることが有用な場合にも有利である可能性がある。
【００３４】
有機粒子状材料160は、水平方向にはスクリュー85の底部に沿って転がりながら分散された形態で移動する。スクリュー85の端部では粉末の圧力が1MPaになる可能性があるため、有機粒子状材料160のバルクの密度は蒸気シールとして機能するほどの大きさになる。そのためマニホールド内で気化して周囲の真空レベルよりも大きな圧力になった材料がスクリューに沿って逆流して供給源である第1の容器50に到達することが阻止される。図6Bに示してあるように、スクリュー85の端部は、わずかな長さにわたって一定の円形断面を有する山なし部分135となるように構成されていて、粉末が一体化した有機粒子状材料160が狭い環状形状またはチューブ形状を形成する。この狭い環状形状により、温度制御されたスクリュー85と温度制御された供給路60の間の熱接触と有機粒子状材料160全体の温度の一様性が改善される。この構成によりさらに、円形断面と比較して所定の横断面における有機粒子状材料160の温度の一様性が保証され、スクリュー構造80と加熱素子170の間にある有機粒子状材料160内に温度勾配を実現できる可能性が実質的に大きくなる。粉末化した有機粒子状材料160はスクリュー構造からチューブの形状で押し出されて十分に一体化しているため、スクリュー収容チューブの支持体から出たときに押し出されたチューブ状の形状を少なくとも数ミリメートルにわたって維持することができる。この固体形状により、有機材料の気化によって生じる加圧された蒸気がスクリュー構造80に逆流することが阻止され、粉末化した有機粒子状材料160が、温度制御されたスクリュー構造の端部と加熱素子の間の短いギャップに架橋することが可能になる。
【００３５】
本発明が、受け取った有機材料を気化ゾーンに移動させたり供給したりするためのスクリュー（85）に限定されることはなく、他の構成も利用することができる。その例として、譲受人に譲渡されたアメリカ合衆国特許出願公開2005/028220（その開示内容は参考としてこの明細書に組み込まれている）に示されているように受け取った材料を経路に沿って気化ゾーンの中に投入する機構や、受け取った材料のための移動可能な面を提供する機構などがある。移動可能な面は、譲受人に譲渡されたアメリカ合衆国特許出願シリアル番号第11/050,934号と第11/153,066号（その開示内容は参考としてこの明細書に組み込まれている）に示されているように、ベルトまたはディスクの上に設けることができる。この環状構造を有する粉末供給システムの熱モデルにおいて加熱素子がスクリュー構造80の端部から130μm離れているとすると、両者の温度差が270℃である場合に、加熱素子170とスクリュー構造80の端部にまたがる粒子状材料160いおいて軸方向の平均温度勾配0.5℃/μmを実現できることがわかる。したがって一体化した粉末化有機粒子状材料160の最初の200μmで100℃の温度低下が可能である。この勾配により、混合成分有機材料の塊からより揮発性のある成分が染み出すという通常起こることが阻止され、単一の供給源から複数の有機材料を同時に堆積させることが可能になる。さらに、この大きな勾配は、気化する前に液化する有機材料を用いる場合でさえ、有機粒子状材料160をスクリュー収容チューブの出口で一体化した粉末形状に維持するのに役立つ。
【００３６】
図6Aに示したスクリュー構造80は、有機粒子状材料160の粉末を水平方向に移動させるのに有効だが、その粉末化した有機粒子状材料160を鉛直方向に移動させるには有効でない。なぜなら、粉末化した有機粒子状材料160はスクリューとともに回転するだけでこの構造の長さ方向に沿って進むことはないからである。ここで図6Cを参照すると、本発明において有用なスクリュー構造の別の一実施態様の立体図が示してある。この実施態様では、スクリュー構造95は、互いに噛み合った同じ螺旋状のネジ山を持つ2つ以上のスクリュー（例えばスクリュー85a、85b、85c）を備えている。これらスクリュー85a、85b、85cはすべて同じ方向に回転する。1つのスクリュー（例えば85a）のネジ山の間に装填された有機材料は、材料が回転して回転している第2のスクリュー（例えば85b）の噛み合ったネジ山と接触すると除去される。なぜなら隣のスクリューの向かい合っている部分は反対方向に運動するからである。したがってスクリュー構造95では、粉末化した有機粒子状材料160を一体化して固体形状にすることで蒸気シールを形成する能力を保持しつつ、図6Aに示した単一スクリューのスクリュー構造の方向に関する制約が解決される。スクリュー構造95の排出部分は細長い断面にできよう。マニホールドの全長にわたってこの断面にできるため、材料を長さ方向に沿って実質的に一様に注入することが可能になる。
【００３７】
ここで図6Dを参照すると、本発明において有用なスクリュー構造の別の一実施態様の断面図が示してある。スクリュー構造105は、回転する螺旋状のネジ山115と、静止した中心部125と、静止した外側チューブ（ここでは供給路60）を備えている。この実施態様では、スクリュー構造105の一部だけ（螺旋状のネジ山115を含む部分）が回転可能であり、モータ90によって回転させられる。円形断面の螺旋状のネジ山を用いて供給される粉末化した有機粒子状材料160に関して検証を行なった。ネジ山は、直径が0.7mmの鋼鉄ワイヤを外径が5mmでピッチが2.5mmの螺旋にしたものからなる。他の材料（例えばチタンやステンレス鋼）からなる滑らかなワイヤも適している。ワイヤの断面は円形でなくてもよく、長方形の断面が特に好ましい。というのも、粉末化した有機粒子状材料160を押している間にねじり抵抗を受けるとき、螺旋状のネジ山のサイズが変化しないようにするだけの剛性が付加されるからである。静止した中心部125は、供給路60と組み合わさり、粉末化した有機粒子状材料160の薄膜以外がスクリューとともに回転することを実質的に阻止する。スクリュー構造105は、粉末化した有機粒子状材料160を蓄積するのに重力に頼っておらず、任意の方向で動作する。スクリュー構造105は、粉末化した有機粒子状材料160を一体化して薄い環状形状にする。そのため粉末化した有機粒子状材料160と温度制御された供給路60と静止した中心部125の間の熱接触が実質的に改善される。これらの特性は、混合成分有機材料の気化と、気化する前に液化する有機材料の気化を制御できるようにする上で重要である。したがってこの実施態様により、粉末化した有機粒子状材料160を一体化して固体形状にすることで蒸気シールを形成する能力を保持しつつ、第1のスクリュー構造における方向に関する制約が解決される。
【００３８】
主に図2の気化装置10をベースとした本発明による上記の実施態様は、大気圧においてと、大気圧の約半分までの圧力において有用である。実験によれば、細かい粉末は、大気圧の半分以下にした減圧下では計量がはるかに難しいことが観察されている。粉末化した有機粒子状材料160は、残留している空気の分子が除去されていくにつれて凝集し、大気圧の条件下では粉末化した有機粒子状材料160を通じて振動エネルギーを伝達するのに有効な粒子間の弾性カップリングが少なくなる。この効果は、スクリュー構造が粉末を一様に供給する性能にマイナスの影響を与える。したがって別の振動装置が必要となる可能性がある。ここで図7を参照すると、低圧条件下で上記の制約を解決する上で本発明において有用な振動装置の別の一実施態様の一部を除去して内部を示した図が示してある。この実施態様では、振動装置として3つのピエゾ電気構造が用いられている。ピエゾ電気構造150と155は大きく傾いていて、第1の容器50の底部において漏斗の対向する壁面を形成している。この2つのピエゾ電気構造の底部190は支持されておらず、スクリュー構造80の供給部に直接通じている。ピエゾ電気構造150と155の支持されていない部分は振動の振幅が大きいため、その部分の表面近くで有機粒子状材料160を流動化するのに有効である。第3のピエゾ電気構造130がスクリュー構造80の下に取り付けられていて、他の2つのピエゾ電気構造150と155の振動とは振幅が実質的に垂直な振動を与える。これらのピエゾ電気構造は、周波数掃引回路によって駆動される。振動数を変化させることはノードが形成されるのを阻止する上で重要であり、電力供給効率を大きく改善する。スクリュー構造80としては、上記のスクリュー構造のうちの任意のものが可能である。
【００３９】
図8は、低圧条件下で上記の制約を解決する上で本発明において有用な振動装置の別の一実施態様の一部を除去して内部を示した図である。上記第1の容器50の下端部に開口部230が来る。回転する螺旋式装置210は、共通するシャフトの周囲に左巻き螺旋ワイヤと右巻き螺旋ワイヤを備えている。回転する螺旋式装置210は、スクリュー構造の供給部の上方に位置していて、ワイヤがスクリュー構造80のネジ山に実質的に接している。回転するネジ山は、スクリューのネジ山の邪魔になってはならないが、1mmのクリアランスまで効果的に動作し続けるであろう。回転する螺旋式装置210は、モータ90によってギア・ドライブ220を通じてゆっくりと回転する。モータは、スクリュー構造80も回転させる。実際には、回転する螺旋式装置210の回転速度は、個々の粉末化した有機粒子状材料160の粒径と特性によって異なる可能性があるが、実際的な目安として、回転するネジ山の軸方向回転速度をスクリューのネジ山の軸方向回転速度と一致させる。回転する螺旋式装置210のワイヤは、粉末化した有機粒子状材料160を開口部230の中心へと押しやる傾向があるため、スクリュー構造80への粉末の架橋が防止される。スクリュー構造80としては、上記のスクリュー構造のうちの任意のものが可能である。この振動装置は、粉末化した有機粒子状材料160にほんのわずかなエネルギーしか与えず、したがってサイズまたは密度によって粒子が分離することはないため、混合成分有機材料を供給するのに非常に適している。
【００４０】
ここで図9を参照すると、粉末化した有機粒子状材料160を気化させて表面上に凝縮させることで膜を形成するための本発明による装置の別の一実施態様の一部に関する三次元図が示してあり、この装置は、有機粒子状材料160の条件をあらかじめ整えるため吸着されたガスまたは不純物を除去する装置を備えている。本発明のこの装置は、所定量の有機粒子状材料160を保持するための上に説明した第1の容器50を備えている。この装置は、第1の容器50から供給できる予備量の有機粒子状材料100を保持するための第2の容器70も備えることができる。この装置は、有機粒子状材料100を第2の容器70から第1の容器50へと容易に移動させるための振動装置（例えばピエゾ電気構造140）も備えることができる。第1の容器50からの有機粒子状材料160は、条件をあらかじめ整えるため第1の供給路260に供給される。第1の供給路260は、有機粒子状材料160を第1の容器50から第1の供給路260へと移動させるために第1の容器50と協働するスクリュー構造を備えている。スクリュー構造の少なくとも一部はモータ240によって回転し、粉末化した有機粒子状材料160を第1の供給路260に沿って供給する。第1の供給路260は、減圧源に通じている真空曝露用開口部270を備えている。有機粒子状材料160が条件をあらかじめ整えられた有機粒子状材料160として第1の供給路260に沿って気化ゾーンに移されるとき、第1の供給路260を加熱することで粉末化した有機粒子状材料160を加熱する一方で、その粉末化した有機粒子状材料160を減圧状態にさらすことで吸着されたガスまたは不純物を除去することもできる。典型的な蒸着速度では、自由状態の粉末化した有機粒子状材料160は、圧縮して気化させる直前に条件をあらかじめ整えるこの段階で、吸着された蒸気とガスの分子を放出するのに数分かかる。次に、条件をあらかじめ整えられた粉末化した有機粒子状材料160は、上に説明したのと同様のスクリュー構造によって範囲が規定されている第2の供給路265に移され、その中で固められ、すなわち圧縮され、そのスクリュー構造の周囲に均等に分配される。粉末化した有機粒子状材料160は、上に説明したようにスクリュー構造により第2の供給路265に沿ってマニホールドと気化ゾーン（図示せず）に供給され、そこで有機材料が気化し、その後OLED基板の表面で凝縮して有機層を形成する。場合によっては存在する第3の容器250が、減圧状態にさらされた粉末化した有機粒子状材料160を第1の供給路260から受け取ることができる。このような場合、第2の供給路265の範囲を規定するスクリュー構造には、減圧状態にさらされた粉末化した有機粒子状材料160を第2の供給路265に供給する第3の容器250も付随しており、このようなスクリュー構造は第3の容器250の内部を貫通している。この装置は、すでに説明したように、粉末化した有機粒子状材料160を流動化する手段も備えている。別の一実施態様では、供給路260は真空曝露用開口部270を備えており、第2の供給路を利用することなくマニホールドに直接供給を行なう。
【００４１】
実際には、この明細書に記載した気化装置は以下のように動作する。OLEDデバイスに層を形成するのに役立つ粉末化した有機粒子状材料160が第2の容器70に供給される。その有機粒子状材料160は制御された状態で第1の容器50に移されるが、そのとき、粉末化した有機粒子状材料の体積が実質的に同じである状態が維持されるようにする。粉末化した有機粒子状材料160は、この明細書に記載した手段によって流動化され、そのことによってスクリュー構造80に移される。このスクリュー構造は、この明細書に記載したようにして粉末化した有機粒子状材料160を気化ゾーンに移す。有機粒子状材料160は気化ゾーンで気化されてマニホールド20に入る。マニホールドは、気化した有機材料をOLEDの基板の表面に送って層を形成する。このことに関して以下に説明する。
【００４２】
すでに指摘したように、真空レベルが、一定量の細かい粉末状有機材料160を計量供給するという問題を複雑にする可能性がある。図2に戻ると、連続した柱状の有機粒子状材料160が供給路60の中に保持されていることがわかる。一実施態様では、この柱状の有機粒子状材料160は、適切に圧縮されているのであれば、有機粒子状材料160の粒子特性によって可能になるある種の真空シールとして利用できる。この構成では、有機粒子状材料160にとって高レベルの真空が、加熱素子170の位置とマニホールド20の中に存在できる。第1の容器50にはより低い真空レベルを維持することができる。このより低い真空レベルは大気圧でもよい。部分的なシールでさえ好ましい可能性がある。このシール効果を利用し、第1の容器50の中に有機粒子状材料160を保管するための雰囲気ガスを分離すること、または第2の容器70に有機粒子状材料100を保管するための雰囲気ガスを分離することもできよう。例えばいくつかの材料では、不活性ガス（例えばアルゴンやヘリウム）雰囲気下で材料を保管することが好ましい。
【００４３】
ここで図10を参照すると、基板を取り囲む蒸着チェンバーを備える本発明の装置の一実施態様が示してある。蒸着チェンバー280は、マニホールド20から来た有機材料でOLED基板285を被覆することのできる閉鎖装置である。上に説明したように、マニホールド20には供給路60を通じて有機材料が供給される。蒸着チェンバー280は、制御された状態に維持される（例えば圧力は、真空源300によって1トル以下にされる）。蒸着チェンバー280は、被覆されていないOLED基板285を装着し、被覆されたOLED基板285を外すのに使用できる装着用ロック装置275を備えている。OLED基板285は並進移動装置295によって移動させることができるため、気化した有機材料がOLED基板285の表面全体に均一にコーティングされる。図では気化装置の一部が蒸着チェンバー280によって囲まれているように描いてあるが、他の構成も可能であることがわかるであろう。例えば、気化装置の全体（粉末化した有機粒子状材料160を収容するためのあらゆる容器を含む）が蒸着チェンバー280によって取り囲まれている構成がある。
【００４４】
実際には、装着用ロック装置275を用いてOLED基板285を蒸着チェンバー280の中に配置し、並進移動装置295またはそれに付随する装置によってOLED基板285を保持する。気化装置は上記のように動作し、並進移動装置295は、マニホールド20から有機材料の蒸気が放出される方向に対して垂直にOLED基板285を移動させる。そのため気化した有機材料がOLED基板285の表面に供給されて凝縮し、有機材料の膜がその表面に形成される。
【００４５】
ここで図11を参照すると、一部を本発明に従って製造できる発光OLEDデバイス310の1つの画素の断面が示してある。このOLEDデバイス310は、少なくとも、基板320と、カソード390と、カソード390から離れたアノード330と、発光層350を備えている。このOLEDデバイスは、正孔注入層335と、正孔輸送層340と、電子輸送層355と、電子注入層360も備えることができる。正孔注入層335と、正孔輸送層340と、発光層350と、電子輸送層355と、電子注入層360は、アノード330とカソード390の間に配置された一連の有機層370を含んでいる。有機層370は、本発明の装置と方法によって堆積させることが最も望ましい層である。これらの要素についてさらに詳しく説明する。
【００４６】
基板320は、有機の固体、または無機の固体、または有機の固体と無機の固体の組み合わせにすることができる。基板320は、堅固でも可撓性があってもよく、個別の部材（例えばシートやウエハ）として、または連続したロールとして加工することができる。典型的な基板材料としては、ガラス、プラスチック、金属、セラミック、半導体、金属酸化物、酸化物半導体、窒化物半導体、ならびにこれらの組み合わせがある。基板320は、複数の材料が均一に混合したもの、または複数材料の複合体、または多層材料にすることができる。基板320は、OLEDデバイスを作るのに一般的に使用されているOLED基板（例えばアクティブ-マトリックス用の低温ポリシリコンまたはアモルファス-シリコンからなるTFT基板）にすることができる。基板320は、どの方向に光を出したいかに応じ、透過性または不透明にすることができる。光透過特性は、基板を通してEL光を見る上で望ましい。その場合には、透明なガラスまたはプラスチックが一般に用いられる。EL光を上部電極を通じて見るような用途では、底部支持体の透過特性は重要でないため、底部支持体は、光透過性、光吸収性、光反射性のいずれでもよい。この場合に用いる基板としては、ガラス、プラスチック、半導体材料、セラミック、回路板材料などのほか、OLEDデバイス（パッシブ・マトリックス・デバイスでもアクティブ・マトリックス・デバイスでもよい）を形成するのに一般に用いられている他の任意の材料が挙げられる。
【００４７】
1つの電極が基板320の上に形成され、それがアノード330になるのが最も一般的である。EL光を基板320を通して見る場合、アノード330は、興味の対象となる光に対して透明であるか、実質的に透明である必要がある。本発明で有用な透明なアノード用の一般的な材料は、インジウム-スズ酸化物とスズ酸化物であるが、他の金属酸化物（例えばアルミニウムをドープした酸化亜鉛、インジウムをドープした酸化亜鉛、マグネシウム-インジウム酸化物、ニッケル-タングステン酸化物）も可能である。これら酸化物に加え、金属窒化物（例えば窒化ガリウム）、金属セレン化物（例えばセレン化亜鉛）、金属硫化物（例えば硫化亜鉛）をアノード用材料として用いることができる。EL光を上部電極を通して見るような用途では、アノード用材料の透光特性は重要でなく、あらゆる導電性材料（透明なもの、不透明なもの、反射性のもの）を使用することができる。この用途での具体的な導電性材料としては、金、イリジウム、モリブデン、パラジウム、白金などがある。好ましいアノード用材料は、透光性であろうとそうでなかろうと、仕事関数が4.1eV以上である。望ましいアノード用材料は、適切な任意の手段（例えば蒸着、スパッタリング、化学蒸着、電気化学的手段）で堆積させることができる。アノード用材料は、よく知られているフォトリソグラフィ法を利用してパターニングすることができる。
【００４８】
必ずしも必要なわけではないが、有機発光ディスプレイでは、正孔注入層335をアノード330の上に形成すると有用であることがしばしばある。正孔注入材料は、その後に形成する有機層の膜形成特性を改善することと、正孔輸送層に正孔を容易に注入することに役立つ。正孔注入層335で使用するのに適した材料としては、アメリカ合衆国特許第4,720,432号に記載されているポルフィリン化合物、アメリカ合衆国特許第6,208,075号に記載されているプラズマ堆積させたフルオロカーボン・ポリマー、無機材料（例えばバナジウム酸化物（VOx）、モリブデン酸化物（MoOx）、ニッケル酸化物（NiOx））などがある。有機ELデバイスで有用であることが報告されている別の正孔注入材料は、ヨーロッパ特許0 891 121 A1と1 029 909 A1に記載されている。
【００４９】
必ずしも必要なわけではないが、正孔輸送層340がアノード330の上に形成されて配置されると有用であることがしばしばある。望ましい正孔輸送材料は、適切な任意の手段（例えば蒸着、スパッタリング、化学蒸着、電気化学的手段、熱転写、ドナー材料からの熱転写）で堆積させることができる。そのとき、この明細書に記載した装置と方法を利用して堆積させることができる。正孔輸送層340で有用な正孔輸送材料はよく知られており、芳香族第三級アミンなどの化合物がある。芳香族第三級アミンは、炭素原子（そのうちの少なくとも1つは芳香族環のメンバーである）だけに結合する少なくとも1つの3価窒素原子を含んでいる化合物であると理解されている。芳香族第三級アミンの1つの形態は、アリールアミン（例えばモノアリールアミン、ジアリールアミン、トリアリールアミン、ポリマー・アリールアミン）である。モノマー・トリアリールアミンの例は、Klupfelらによってアメリカ合衆国特許第3,180,730号に示されている。1個以上のビニル基で置換された他の適切なトリアリールアミン、および／または少なくとも1つの活性な水素含有基を含む他の適切なトリアリールアミンは、Brantleyらによってアメリカ合衆国特許第3,567,450号と第3,658,520号に開示されている。
【００５０】
芳香族第三級アミンのより好ましい1つのクラスは、アメリカ合衆国特許第4,720,432号と第5,061,569号に記載されているように、少なくとも2つの芳香族第三級アミン部分を含むものである。このような化合物としては、構造式（A）で表わされるものがある。
【００５１】
【化１】
2009512786.tif 000003
ただし、
Q1とQ2は、独立に、芳香族第三級アミン部分の中から選択され、
Gは、炭素-炭素結合の結合基（例えば、アリーレン基、シクロアルキレン基、アルキレン基など）である。
【００５２】
一実施態様では、Q1とQ2の少なくとも一方は、多環式縮合環構造（例えばナフタレン部分）を含んでいる。Gがアリール基である場合には、Q1とQ2の少なくとも一方は、フェニレン部分、ビフェニレン部分、ナフタレン部分のいずれかであることが好ましい。
【００５３】
構造式（A）に合致するとともに2つのトリアリールアミン部分を含むトリアリールアミンの有用な1つのクラスは、構造式（B）で表わされる。
【００５４】
【化２】
2009512786.tif 000004
ただし、
R1とR2は、それぞれ独立に、水素原子、アリール基、アルキル基のいずれかを表わすか、R1とR2は、合わさって、シクロアルキル基を完成させる原子を表わし；
R3とR4は、それぞれ独立にアリール基を表わ表わし、そのアリール基は、構造式（C）に示したように、ジアリール置換されたアミノ基によって置換されている。
【００５５】
【化３】
2009512786.tif 000005
ただし、
R5とR6は、独立に、アリール基の中から選択される。一実施態様では、R5とR6のうちの少なくとも一方は、多環式縮合環構造（例えばナフタレン）を含んでいる。
【００５６】
芳香族第三級アミンの別のクラスは、テトラアリールジアミンである。望ましいテトラアリールジアミンとして、構造式（C）に示したように、アリーレン基を通じて結合した2つのジアリールアミノ基が挙げられる。有用なテトラアリールジアミンとしては、一般式（D）で表わされるものがある。
【００５７】
【化４】
2009512786.tif 000006
ただし、
それぞれのAreは、独立に、アリーレン基（例えばフェニレン部分またはアントラセン部分）の中から選択され；
nは1〜4の整数であり；
Ar、R7、R8、R9は、独立に、アリール基の中から選択される。
【００５８】
典型的な一実施態様では、Ar、R7、R8、R9のうちの少なくとも1つは多環式縮合環構造（例えばナフタレン）である。
【００５９】
上記の構造式(A)、(B)、(C)、(D)のさまざまなアルキル部分、アルキレン部分、アリール部分、アリーレン部分は、それぞれ、置換されていてもよい。典型的な置換基としては、アルキル基、アルコキシ基、アリール基、アリールオキシ基、ハロゲン（例えばフッ化物、塩化物、臭化物）などがある。さまざまなアルキル部分とアルキレン部分は、一般に、1〜約6個の炭素原子を含んでいる。シクロアルキル部分は、3〜約10個の炭素原子を含むことができるが、一般には5個、または6個、または7個の炭素原子を含んでいる（例えばシクロペンチル環構造、シクロヘキシル環構造、シクロヘプチル環構造）。アリール部分とアリーレン部分は、通常は、フェニル部分とフェニレン部分である。
【００６０】
OLEDデバイスの正孔輸送層は、単一の芳香族第三級アミン化合物で形成すること、またはそのような化合物の混合物で形成することができる。特に、トリアリールアミン（例えば構造式(B)を満たすトリアリールアミン）をテトラアリールジアミン（例えば構造式(D)に示したもの）と組み合わせて使用することができる。トリアリールアミンをテトラアリールジアミンと組み合わせて使用する場合には、後者はトリアリールアミンと電子注入・輸送層に挟まれた層として位置する。この明細書に記載した装置と方法を利用し、単一成分の層または複数成分の層を堆積させたり、多数の層を順番に堆積させたりすることができる。
【００６１】
有用な正孔輸送材料の別のクラスとして、ヨーロッパ特許第1 009 041号に記載されている多環式芳香族化合物がある。さらに、ポリマー正孔輸送材料を使用することができる。それは、例えば、ポリ(N-ビニルカルバゾール)（PVK）、ポリチオフェン、ポリピロール、ポリアニリン、コポリマー（例えばポリ(3,4-エチレンジオキシチオフェン)／ポリ(4-スチレンスルホネート)（PEDOT/PSSとも呼ばれる））などである。
【００６２】
発光層350は、正孔-電子再結合に応答して光を出す。発光層350は、一般に正孔輸送層340の上に堆積される。望ましい有機発光材料は、適切な任意の手段（例えば蒸着、スパッタリング、化学蒸着、電気化学的手段、放射線によるドナー材料からの熱転写）で堆積させることができる。そのとき、この明細書に記載した装置と方法を利用して堆積させることができる。有用な有機発光材料は周知である。アメリカ合衆国特許第4,769,292号と第5,935,721号により詳しく説明されているように、有機EL素子の発光層は、発光材料または蛍光材料を含んでおり、この領域で電子-正孔対の再結合が起こる結果としてエレクトロルミネッセンスが生じる。発光層は単一の材料で構成できるが、より一般的には、ゲスト化合物（すなわちドーパント）をドープしたホスト材料を含んでいる。後者の場合、光は主としてドーパントから発生する。ドーパントは、特定のスペクトルを持つ色の光が出るように選択する。発光層内のホスト材料は、以下に示す電子輸送材料、または上記の正孔輸送材料、または正孔-電子再結合をサポートする別の材料にすることができる。ドーパントは、通常は、強い蛍光を出す染料の中から選択されるが、リン光化合物（例えばWO 98/55561、WO 00/18851、WO 00/57676、WO 00/70655に記載されている遷移金属錯体）も有用である。ドーパントは、一般に、0.01〜10質量％の割合でホスト材料に組み込まれる。この明細書に記載した装置と方法を利用すると、複数の蒸発源を必要とせずに多成分ゲスト／ホスト層をコーティングすることができる。
【００６３】
有用であることが知られているホスト分子および発光分子としては、アメリカ合衆国特許第4,768,292号、第5,141,671号、第5,150,006号、第5,151,629号、第5,294,870号、第5,405,709号、第5,484,922号、第5,593,788号、第5,645,948号、第5,683,823号、第5,755,999号、第5,928,802号、第5,935,720号、第5,935,721号、第6,020,078号に開示されているものなどがある。
【００６４】
8-ヒドロキシキノリンおよび同様の誘導体の金属錯体（一般式E）は、エレクトロルミネッセンスをサポートすることのできる有用なホスト材料の1つのクラスを形成し、波長が500nmよりも長い光（例えば緑、黄、オレンジ、赤）を出させるのに特に適している。
【００６５】
【化５】
2009512786.tif 000007
ただし、
Mは金属を表わし；
nは1〜3の整数であり；
Zは、現われるごとに独立に、縮合した少なくとも2つの芳香族環を有する核を完成させる原子を表わす。
【００６６】
以上の説明から、金属は、一価、二価、三価の金属が可能であることが明らかである。金属としては、例えばアルカリ金属（リチウム、ナトリウム、カリウムなど）、アルカリ土類金属（マグネシウム、カルシウムなど）、土類金属（ホウ素、アルミニウムなど）が可能である。一般に、キレート化金属として有用であることが知られている任意の一価、二価、三価の金属を使用することができる。
【００６７】
Zは、縮合した少なくとも2つの芳香族環を持っていてそのうちの少なくとも一方はアゾール環またはアジン環である複素環の核を完成させる。必要な場合には、必要なその2つの環に追加の環（例えば脂肪族環と芳香族環の両方）を縮合させることができる。機能の向上なしに分子が大きくなることを避けるため、環の原子数は、通常は18個以下に維持する。
【００６８】
発光層350のホスト材料としては、9位と10位に炭化水素置換基または置換された炭化水素置換基を有するアントラセン誘導体が可能である。例えば9,10-ジ-(2-ナフチル)アントラセンの誘導体は、エレクトロルミネッセンスをサポートすることのできる有用なホスト材料の1つのクラスを形成し、波長が400nmよりも長い光（例えば青、緑、黄、オレンジ、赤）を出させるのに特に適している。
【００６９】
ベンズアゾール誘導体は、エレクトロルミネッセンスをサポートすることのできる有用なホスト材料の別のクラスを形成し、波長が400nmよりも長い光（例えば青、緑、黄、オレンジ、赤）を出させるのに特に適している。有用なベンズアゾールの一例は、2,2',2"-(1,3,5-フェニレン)トリス[1-フェニル-1H-ベンゾイミダゾール]である。
【００７０】
望ましい蛍光ドーパントとしては、ペリレンまたはその誘導体、アントラセンの誘導体、テトラセンの誘導体、キサンテンの誘導体、ルブレンの誘導体、クマリンの誘導体、ローダミンの誘導体、キナクリドンの誘導体、ジシアノメチレンピラン化合物、チオピラン化合物、ポリメチン化合物、ピリリウム化合物、チアピリリウム化合物、ジスチリルベンゼンの誘導体、ジスチリルビフェニルの誘導体、ビス(アジニル)メタンホウ素錯体化合物、カルボスチリル化合物などがある。
【００７１】
他の有機発光材料としては、Wolkらが、譲受人に譲渡されたアメリカ合衆国特許第6,194,119 B1号とその中で引用している参考文献に記載しているように、ポリマー物質（例えばポリフェニレンビニレン誘導体、ジアルコキシ-ポリフェニレンビニレン、ポリ-パラ-フェニレン誘導体、ポリフルオレン誘導体）が可能である。
【００７２】
必ずしも必要なわけではないが、OLEDデバイス310は、発光層350の上に配置された電子輸送層355を含んでいると好ましい場合がしばしばある。望ましい電子輸送材料は、適切な任意の手段（例えば蒸着、スパッタリング、化学蒸着、電気化学的手段、熱転写、レーザーによるドナー材料からの熱転写）で堆積させることができる。そのとき、この明細書に記載した装置と方法を利用して堆積させることができる。電子輸送層355で用いるのが好ましい電子輸送材料は、金属キレート化オキシノイド系化合物（オキシンそのもの（一般には8-キノリノールまたは8-ヒドロキシキノリンとも呼ばれる）のキレートも含む）である。このような化合物は、電子の注入と輸送を容易にし、優れた性能を示すのを助け、しかも容易に薄膜の形態にすることができる。考慮するオキシノイド系化合物の例は、すでに説明した一般式（E）を満たす化合物である。
【００７３】
他の電子輸送材料としては、アメリカ合衆国特許第4,356,429号に開示されているさまざまなブタジエン誘導体や、アメリカ合衆国特許第4,539,507号に記載されているさまざまな複素環式蛍光剤がある。一般式（G）を満たすベンズアゾールも、有用な電子輸送材料である。
【００７４】
他の電子輸送材料としては、ポリマー物質が可能である。それは例えば、ポリフェニレンビニレン誘導体、ポリ-パラ-フェニレン誘導体、ポリフルオレン誘導体、ポリチオフェン、ポリアセチレンや、他の導電性ポリマー有機材料（例えば『導電性分子と導電性ポリマーのハンドブック』、第1〜4巻、H.S. Nalwa編、ジョン・ワイリー＆サンズ社、チチェスター、1997年に記載されているもの）である。
【００７５】
電子注入層360がカソードと電子輸送層の間に存在していてもよい。電子注入材料の例としては、アルカリ金属、アルカリ土類金属、ハロゲン化アルカリ塩（例えば上記のLiF）や、アルカリ金属またはアルカリ土類金属をドープした有機層がある。
【００７６】
カソード390は、電子輸送層355の上、または発光層350（電子輸送層を使用しない場合）の上に形成される。アノード330を通して光が出る場合には、カソード材料をほぼ任意の導電性材料にすることができる。望ましい材料は優れた膜形成特性を有するため、下にある有機層との接触がよくなり、低電圧で電子の注入が促進され、優れた安定性を得ることができる。有用なカソード材料は、仕事関数が小さな（3.0eV未満）金属または合金を含んでいることがしばしばある。好ましい1つのカソード材料は、アメリカ合衆国特許第4,885,221号に記載されているように、銀が1〜20％の割合で含まれたMg：Ag合金からなる。適切なカソード材料の別のクラスとして、仕事関数が小さな金属または金属塩からなる薄い層と、その上に被せたより厚い導電性金属層とを含む二層がある。このような1つのカソードは、アメリカ合衆国特許第5,677,572号に記載されているように、LiFからなる薄い層と、その上に載るより厚いAl層からなる。他の有用なカソード材料としては、アメリカ合衆国特許第5,059,861号、第5,059,862号、第6,140,763号に開示されているものがあるが、これだけに限定されるわけではない。
【００７７】
カソード390を通して発光を見る場合、カソードは、透明であるか、ほぼ透明である必要がある。このような用途のためには、金属が薄いか、透明な導電性酸化物を使用するか、このような材料の組み合わせを使用する必要がある。光学的に透明なカソードは、アメリカ合衆国特許第5,776,623号に、より詳細に記載されている。カソード材料は、蒸着、スパッタリング、化学蒸着によって堆積させることができる。必要な場合には、よく知られた多数の方法でパターニングすることができる。方法としては、例えば、スルー・マスク蒸着、アメリカ合衆国特許第5,276,380号とヨーロッパ特許第0,732,868号に記載されている一体化シャドウ・マスキング、レーザー・アブレーション、選択的化学蒸着などがある。
【００７８】
材料供給のためのモジュール式部品
【００７９】
本発明の装置と方法は、従来の方法よりも優れていることがわかる。なぜなら従来法では、堆積用の材料を連続的に供給することはできず、1回の製造ごとに固定量の材料を消費せねばならないからである。さらに、再装填が容易にでき、製造者が取り扱う必要性が最少であり、推定が不要で、気化装置10の連続動作をサポートする材料供給機構を設けるとさらに好ましかろう。
【００８０】
図12〜図20を参照すると、本発明の一実施態様による連続堆積をサポートするための材料供給装置400のカギとなる諸部品が示してある。カートリッジ・レシーバ402（図20により明瞭に示してある）は、収容部として機能する構成にでき、供給用カートリッジ404（図18と、図16および図19の一部を除去して内部を示した図により明瞭に示してある）を受け入れるための基部となる。供給用カートリッジ404はカートリッジ・レシーバ402の中に嵌め込まれ、一般に機械式インターフェイスの位置でシール式接続にされる。カートリッジ・レシーバ402は、供給用カートリッジ404から供給される粒子状材料を気化させるためのヒーター410または気化素子を備えている。蒸気は、蒸気出力ポート406から蒸着チェンバー280（図10）の中に放出される。別の実施態様では、カートリッジ・レシーバ402とヒーター410は、取外し可能な状態で供給用カートリッジ404に沿った位置に設けること、または蒸着チェンバー280と一体化して取り付けることができる。
【００８１】
この実施態様の供給用カートリッジ404の内部構造に関する詳細を図16と図19に示してある。粉末カートリッジ412が有機粒子状材料100を振動部品と供給部品に供給する。あるタイプの振動装置（例えば振動用スクリュー414）により、粒子状材料を振動チェンバー440と供給路420に供給するのが容易になる。別のタイプの振動装置は、例えばピエゾ電気式アクチュエータを備えることができる。開口部が適切なサイズである場合には、振動装置は不要であろう。供給用スクリュー422が粒子状材料を供給路420に沿って移動させ、材料を計量しながら材料出力ポート424に向かわせる。モータ430（図12、図15、図20）によって駆動される連結機構426が供給用スクリュー422のシャフトを回転させ、場合によっては振動用スクリュー414も作動させる。モータ430は、図20に示したようにカートリッジ・レシーバ402の一部にすること、または供給用カートリッジ404の一部にすること、または外部から提供することができる。
【００８２】
供給用カートリッジ404の中では、材料の温度を気化温度よりもはるかに低温に維持することができる。ヒーター410が例えばフラッシュ・ヒーターである場合には、スクリュー422によってフラッシュ・ヒーター410に供給される粒子状材料の温度を気化温度よりもはるかに低温に制御することができよう。このようにすると、気化温度に数度を超える差がある2種類の材料の混合物を同じ供給路に存在させることが可能になろう。
【００８３】
図12と図15〜図20の構成を利用すると、気化装置10の動作をサポートするため供給用カートリッジ404を交換可能なモジュール式ユニットとして設けることが可能になろう。さらなるモジュール化が、粉末カートリッジ412を適切な設計にすることによって可能になる。図13と図14に示してあるように、粉末カートリッジ412それ自体を取外し可能かつ交換可能な部品にし、供給用カートリッジ404にスナップその他の方法で嵌め込むことができる。留め具432（例えば図12、図14、図18に特に明確に示してあるありふれたロッキング・タブ式留め具432）を用いて粉末カートリッジ412を供給用カートリッジ404の本体の所定の位置に固定することができよう。
【００８４】
図14の拡大図には粉末カートリッジ412の構成が示してある。キャビティ434が、供給される粒子状材料を保持する。スライド式バルブ436または他のタイプのバルブ機構が、粉末カートリッジ412が供給用カートリッジ404の中で適切な位置に来るまで粒子状材料を気密にして保護するのを助ける。
【００８５】
粉末カートリッジ412の1つの大きな利点は、材料の汚染を防ぐことに関係している。スライド式バルブ436と、シール438、442の配置とが、粉末カートリッジ412が所定の位置に配置される前後に粒子状材料を適切な条件の圧力と雰囲気にさらされた状態に維持することを助ける。キャビティ434は、粒子状材料を高純度に保つため、不活性ガス（例えばアルゴン、窒素、ヘリウムなど）を用いてクリーン・ルームの中で、またはドライ・ボックスの中で、または同様の環境で装填することができる。例えば水分やそれ以外の不純物を除去するため焼成サイクルその他の技術を利用することができよう。その後キャビティ434を密封することで、続く輸送と取り扱いの間を通じて材料を保護することができよう。材料は、真空環境または加圧環境で密封することができよう。キャビティ434をさらに処理することで、例えば保管の間を通じて密封された材料をさらに保護することができよう。
【００８６】
あるいは粉末カートリッジ412は、図15と図16に示してあるように、キャビティ434に加え、振動チェンバー440と供給路420にもあらかじめ条件を整えられた粉末が装填された状態で、供給用カートリッジ404の本体に固定することができよう。材料出力ポート424には、条件を整えられた粉末が環境によって汚染されるのを阻止するシール要素を設けることができよう。シール要素は、一般に使用されている取外し可能なキャップの形態、または破ることのできるシールの形態にすること、または気化可能なシール要素（例えば粉末カートリッジ412の中で粉末化しているのと同じ材料または異なる材料を固化した溶融物）で構成することができよう。気化可能なシール材料は、供給用カートリッジ404をカートリッジ・レシーバ402の中に挿入するまで取り除くことはできないが、スクリュー422により、気化素子として機能するヒーター410に向かって移動させることはできよう。すると気化可能なシール要素の裏側で保護されている汚染のない粉末は、熱にさらされた最初の数秒間で気化することになる。粉末が装填されたスクリュー422によって提供される曲がりくねった経路により、環境中の不純物にとってはコンダクタンスが非常に小さい経路が提供されるため、そうでなければシール要素に課される厳しい気密条件のいくつかが緩和される。たいていの不純物は粉末化した材料の最初の数ミリグラムの中に捕捉されるであろうため、基板上に膜を堆積させる前に気化させて廃棄物回収ステーションの中に入れることができよう。あるいは外部環境から粉末を気密にするには、隙間のないOリング・シールを用いて、または供給路420の外面に取り付けられて気密にするカホン・フィッティング（カホン社）などのフィッティングを用いて実現することができる。
【００８７】
図15に示してあるように、検出素子444を粉末カートリッジ412の一部として設け、その中に含まれる材料の量を検出することができよう。検出素子444は、例えば供給量がある望ましい閾値よりも小さくて再装填が必要であることを検出するためだけに用いることができよう。検出素子444は、多数ある適切な構成のセンサーのうちの任意のもの（例えばレベル・センサー、光センサー、圧力センサー）にすることができよう。
【００８８】
一部を除去して内部を示した図15と図17には、スライド式バルブ436が“開放”位置に移動して有機粒子状材料100を供給用カートリッジ404の振動チェンバー440の中に供給できる状態になっている様子が示してある。堆積装置そのものの中の真空を維持する必要がある場合にこのタイプの構成は有利であることがわかる。例えば振動チェンバー440の上方にあって供給用カートリッジ404の上に位置する第2のスライド式バルブ（図示せず）が、粉末カートリッジ412を取り外して交換する間の真空を維持するシールを提供することができよう。本発明では、堆積技術の当業者には馴染みのあるこの技術またはそれと同様の技術を利用することで、操作者は、例えば真空シールを破ることなく粉末カートリッジ412を取り外して交換することができよう。比較すると、以前の方法では、堆積プロセスの間は再装填ができないにもかかわらず、材料を蒸着チェンバーの中に輸送するのに真空バルブを作動させる複雑な一連の操作が必要とされた。
【００８９】
図21は、別の一実施態様による供給用カートリッジ404の三次元図であり、モジュール部品として供給用カートリッジ404を交換するのに特に適している。ここではヒーター410は、カートリッジ・レシーバ402の一部というよりは供給用カートリッジ404の一要素である。図22は供給用カートリッジ404の一部を除去して内部を示した等角投影法による図であり、図13、図15、図16、図17の供給用カートリッジ404と同様の内部構造が見られる。図23は三次元図であり、図24は、この別の実施態様のカートリッジ・レシーバ402の等角投影法による断面図である。例えば供給用カートリッジ404とカートリッジ・レシーバ402の間の機械式インターフェイスの位置（図12）と、ヒーター410と材料出力ポート424の機械式インターフェイスの位置（図16）とに密なフィッティングと十分な気密性を保証するには、機械技術でよく知られた設計法と設計技術を利用した図21には示していないいくつかのタイプのシール機構が通常は必要とされよう。このシール機構により、供給用カートリッジ404を使用可能にすること、または別の供給用カートリッジを利用することができる。
【００９０】
したがって本発明の装置を利用するといくつかの方法でモジュール化できることがわかる。一実施態様では、材料供給装置400は、蒸着チェンバーに嵌め込むことのできる完全なモジュール式ユニットとして提供することができる。あるいはカートリッジ・レシーバ402を材料供給装置400の取外し不能な一部とし、供給用カートリッジ404を必要に応じて交換することができよう。さらに別の選択肢として、供給用カートリッジ404を長期間にわたって所定の位置に放置し、粉末カートリッジ412だけをある間隔で交換することができる。さらに別の選択肢として、粉末カートリッジ412は、図25と図26に示してあるように粉末振動用スクリュー414を備えることができる。この場合には、供給用カートリッジ404をやはり長期間にわたって所定の位置に放置し、供給用カートリッジ404に粉末振動用スクリュー414は含まれていないため、やはり粉末カートリッジ412だけをある間隔で交換することになろう。粉末カートリッジ412と供給用カートリッジ404の間の機械式インターフェイスの位置に密なフィッティングと十分な気密性を保証するには、機械技術でよく知られた技術を利用して構成された図14に示したタイプのシール機構が通常は必要とされよう。
【００９１】
本発明を、いくつかの好ましい実施態様、すなわち気化ゾーンへの有機粒子状材料の供給に関する実施態様を特に参照して詳細に説明してきた。しかし本発明はより広く粒子状材料（その中には有機粒子状材料や他のタイプの粒子状材料が含まれる）に適用される。“粒子状材料”という用語には、広い範囲の粒子形態の物質が含まれる。それは例えば、結晶、ナノチューブ、粉末、ニードル、フレークや、不連続な物質に分類できる他の固体材料などである。さらに、粒子状材料は、材料成分の担体として機能するある量の不活性な材料を含む混合物として供給することができる。不活性な担体としては、他のタイプの固体材料のほか、ペースト、液体（特に粘性率がより大きな液体材料）が可能であろう。選択した不活性な材料はすべて、気化プロセスに合致している必要があるため、その不活性な担体は粒子状材料成分の気化前または気化中に適切に廃棄される。不活性な担体は、例えば、望ましい粒子状材料成分よりも気化温度がはるかに高い材料の中から選択することができる。ほんの一例として、有機粒子状材料100（図3）は、砂と、気化させる粒子状材料成分とを含む混合物にすることができよう。適切な混合法を利用してこのように不活性な担体を使用すると、気化させる粒子状材料成分（例えば有機粒子状材料）の微少量を計量供給することができよう。
【００９２】
図12〜図26に示したさまざまな構成は単なる例示であり、粒子状材料を再装填するための交換可能なモジュールを提供する可能ないくつかの方法を示しているだけである。すでに説明したように、交換可能な部品としては、材料供給装置の全体またはその一部が挙げられ、その中には再装填用のカートリッジまたは容器（例えば粉末カートリッジ412）が含まれる。このタイプの構成により、堆積プロセスをより長期間にわたって継続することが可能になる。なぜなら堆積プロセスを中断または停止することなく再装填が可能だからである。さまざまな構成のシール要素、ガスケット、特殊なフィッティングを利用し、空気中の埃、水分、環境中の他の汚染物質から粒子状材料を効果的に隔離する保護用シールを提供することができよう。
【図面の簡単な説明】
【００９３】
【図１】従来の気化装置の断面図である。
【図２】有機粒子状材料を気化させて表面上に凝縮させることで膜を形成するための本発明による装置の一実施態様の三次元図である。
【図３】本発明に従って粒子状材料を供給するための上記装置の一部に関する一実施態様の断面図であり、本発明において有用な振動装置の一実施態様が含まれている。
【図４】本発明に従って有機粒子状材料を供給して気化させるための上記装置の一部に関する一実施態様の断面図である。
【図５】2種類の有機粒子状材料に関する蒸気圧と温度の関係を示すグラフである。
【図６Ａ】本発明において有用なスクリュー構造の一実施態様の断面図である。
【図６Ｂ】図6Aのスクリュー構造の末端部の断面図である。
【図６Ｃ】本発明において有用なスクリュー構造の別の実施態様の立体図である。
【図６Ｄ】本発明において有用なスクリュー構造の別の実施態様の断面図である。
【図７】本発明において有用な振動装置の別の実施態様の一部を除去して内部を示した図である。
【図８】本発明において有用な振動装置の別の実施態様の一部を除去して内部を示した図である。
【図９】有機粒子状材料を気化させて表面上に凝縮させることで膜を形成するための本発明による装置の別の一実施態様の一部に関する三次元図であり、吸着されたガスまたは不純物を除去する装置を備えている。
【図１０】基板を収容した蒸着チェンバーを備える本発明による装置の断面図である。
【図１１】本発明によって製造できるOLEDデバイス構造の断面図である。
【図１２】本発明の蒸着装置とともに使用する材料供給装置の三次元図である。
【図１３】材料供給装置の等角投影法による断面図であり、交換可能な供給用カートリッジを示している。
【図１４】図13の交換可能な供給用カートリッジの拡大図である。
【図１５】材料供給装置の等角投影法による断面図であり、交換可能な供給用カートリッジがその材料供給装置の所定の位置に載った状態を示している。
【図１６】別の一実施態様によるモジュール式供給用カートリッジの断面を横から見た図である。
【図１７】供給用バルブが開いたモジュール式供給用カートリッジの断面を横から見た図である。
【図１８】モジュール式供給用カートリッジの三次元図である。
【図１９】モジュール式供給用カートリッジの一部を除去して内部を示した等角投影法による図である。
【図２０】本発明の材料供給装置の中にあるカートリッジ・レシーバの等角投影法による図である。
【図２１】本発明の蒸着装置とともに使用する別の一実施態様による材料供給装置の三次元図である。
【図２２】別の一実施態様によるモジュール式供給用カートリッジの一部を除去して内部を示した等角投影法による図である。
【図２３】別の一実施態様による材料供給装置の中にあるカートリッジ・レシーバの三次元図である。
【図２４】図23に示したカートリッジ・レシーバの等角投影法による断面図である。
【図２５】モジュール式供給用カートリッジの別の一実施態様の等角投影法による図である。
【図２６】図25に示したモジュール式供給用カートリッジの等角投影法による断面図である。
【符号の説明】
【００９４】
5    気化装置
6    蒸発源
7    蒸発源
8    蒸発源
9    気柱
10    気化装置
15    基板
20    マニホールド
30    開口部
40    供給装置
50    第1の容器
60    供給路
70    第2の容器
80    スクリュー構造
85    スクリュー
85a    スクリュー
85b    スクリュー
85c    スクリュー
90    モータ
95    スクリュー構造
100    有機粒子状材料
105    スクリュー構造
110    スクリーン
115    螺旋状のネジ山
120    スクリーン
125    中央部
130    ピエゾ電気構造
135    山なし部分
140    ピエゾ電気構造
150    ピエゾ電気構造
155    ピエゾ電気構造
160    有機粒子状材料
170    加熱素子
180    基部
190    底部
210    回転する螺旋式装置
220    ギア・ドライバ
230    開口部
240    モータ
250    第3の容器
260    第1の供給路
265    第2の供給路
270    真空曝露用開口部
275    装着用ロック装置
280    蒸着チェンバー
285    OLED基板
295    並進移動装置
300    真空源
310    OLEDデバイス
320    基板
330    アノード
335    正孔注入層
340    正孔輸送層
350    発光層
355    電子輸送層
360    電子注入層
370    有機層
390    カソード
400    材料供給装置
402    カートリッジ・レシーバ
404    供給用カートリッジ
406    蒸気出力ポート
410    ヒーター
412    粉末カートリッジ
414    振動用スクリュー
420    供給路
422    供給用スクリュー
424    材料出力ポート
426    連結機構
430    モータ
432    留め具
434    キャビティ
436    スライド式バルブ
438    シール
440    振動チェンバー
442    シール
444    検出素子
【図１】
2009512786.tif 000008
【図２】
2009512786.tif 000009
【図３】
2009512786.tif 000010
【図４】
2009512786.tif 000011
【図５】
2009512786.tif 000012
【図６Ａ】
2009512786.tif 000013
【図６Ｂ】
2009512786.tif 000014
【図６Ｃ】
2009512786.tif 000015
【図６Ｄ】
2009512786.tif 000016
【図７】
2009512786.tif 000017
【図８】
2009512786.tif 000018
【図９】
2009512786.tif 000019
【図１０】
2009512786.tif 000020
【図１１】
2009512786.tif 000021
【図１２】
2009512786.tif 000022
【図１３】
2009512786.tif 000023
【図１４】
2009512786.tif 000024
【図１５】
2009512786.tif 000025
【図１６】
2009512786.tif 000026
【図１７】
2009512786.tif 000027
【図１８】
2009512786.tif 000028
【図１９】
2009512786.tif 000029
【図２０】
2009512786.tif 000030
【図２１】
2009512786.tif 000031
【図２２】
2009512786.tif 000032
【図２３】
2009512786.tif 000033
【図２４】
2009512786.tif 000034
【図２５】
2009512786.tif 000035
【図２６】
2009512786.tif 000036
【国際調査報告】
2009512786.tif 000037
2009512786.tif 000038